(57)【要約】【課題】記憶手段に格納する映像データ又は音データに関するインデックス情報を簡便に生成する。【解決手段】所定の記述言語で示されたコンテンツデータを取得して、映像（音）データを生成する第１生成手段と、第１生成手段によって生成された映像（音）データのデータ形式を、通信ネットワークを介して通信端末に配信できるデータ形式に変換する変換手段と、変換手段によって変換された映像（音）データを通信端末に配信する配信手段と、変換手段によって変換された映像（音）データを記憶手段に格納する第１格納手段と、記憶手段に格納する映像（音）データに関するインデックス情報を、第１生成手段から取得した情報に基づいて生成する第２生成手段と、第２生成手段によって生成されたインデックス情報を記憶手段に格納する第２格納手段と、を備える。【選択図】図９
2015069243.tif 000002
【特許請求の範囲】
【請求項１】
通信端末に通信ネットワークを介してデータを配信する配信システムであって、
所定の記述言語で示されたコンテンツデータを取得して、映像データ又は音データを生成する第１生成手段と、
前記第１生成手段によって生成された前記映像データ又は前記音データのデータ形式を、通信ネットワークを介して前記通信端末に配信できるデータ形式に変換する変換手段と、
前記変換手段によって変換された前記映像データ又は前記音データを、前記通信端末に配信する配信手段と、
前記変換手段によって変換された前記映像データ又は前記音データを、記憶手段に格納する第１格納手段と、
前記記憶手段に格納する前記映像データ又は前記音データに関するインデックス情報を、前記第１生成手段から取得した情報に基づいて生成する第２生成手段と、
前記第２生成手段によって生成された前記インデックス情報を、前記記憶手段に格納する第２格納手段と、を備えることを特徴とする配信システム。
【請求項２】
前記記憶手段に格納された前記映像データ又は前記音データを識別するための第１識別情報と、該第１識別情報で識別される前記映像データ又は前記音データに関する前記インデックス情報を識別するための第２識別情報とを関連付けた管理情報を生成する第３生成手段と、
前記第３生成手段によって生成された前記管理情報を、前記記憶手段に格納する第３格納手段と、をさらに備えることを特徴とする請求項１に記載の配信システム。
【請求項３】
前記第２生成手段は、前記映像データ又は前記音データの前記記憶手段への格納開始からの相対時刻と、該相対時刻に前記第１生成手段が生成した前記映像データ又は前記音データの属性情報と、を含む前記インデックス情報を生成することを特徴とする請求項１又は２に記載の配信システム。
【請求項４】
前記属性情報は、前記相対時刻に前記第１生成手段が前記映像データ又は前記音データの生成に用いた前記コンテンツデータの取得先を示す取得先情報であることを特徴とする請求項３に記載の配信システム。
【請求項５】
前記第１生成手段と、前記変換手段と、前記配信手段と、前記第２生成手段と、を含む第１装置と、
前記第１装置に前記通信ネットワークを介して接続され、前記第１格納手段と、前記第２格納手段と、を含む第２装置と、を備え、
前記第１装置は、前記第１生成手段によって生成された前記映像データ又は前記音データと、前記第２生成手段によって生成された前記インデックス情報と、を前記第２装置に送信する送信手段をさらに含み、
前記第２装置は、前記第１装置の前記送信手段により送信された前記映像データ又は前記音データと、前記インデックス情報と、を受信する受信手段をさらに含み、
前記第１格納手段は、前記受信手段によって受信された前記映像データ又は前記音データを前記記憶手段に格納し、
前記第２格納手段は、前記受信手段によって受信された前記インデックス情報を前記記憶手段に格納することを特徴とする請求項１に記載の配信システム。
【請求項６】
通信端末に通信ネットワークを介してデータを配信する配信システムにおいて実行される配信方法であって、
前記配信システムの第１生成手段が、所定の記述言語で示されたコンテンツデータを取得して、映像データ又は音データを生成する工程と、
前記配信システムの変換手段が、前記第１生成手段によって生成された前記映像データ又は前記音データのデータ形式を、通信ネットワークを介して前記通信端末に配信できるデータ形式に変換する工程と、
前記配信システムの配信手段が、前記変換手段によって変換された前記映像データ又は前記音データを、前記通信端末に配信する工程と、
前記配信システムの第１格納手段が、前記変換手段によって変換された前記映像データ又は前記音データを、記憶手段に格納する工程と、
前記配信システムの第２生成手段が、前記記憶手段に格納する前記映像データ又は前記音データに関するインデックス情報を、前記第１生成手段から取得した情報に基づいて生成する工程と、
前記配信システムの第２格納手段が、前記第２生成手段によって生成された前記インデックス情報を、前記記憶手段に格納する工程と、を含むことを特徴とする配信方法。
【請求項７】
通信端末に通信ネットワークを介して接続されるコンピュータに、
所定の記述言語で示されたコンテンツデータを取得して、映像データ又は音データを生成する第１生成手段と、
前記第１生成手段によって生成された前記映像データ又は前記音データのデータ形式を、通信ネットワークを介して前記通信端末に配信できるデータ形式に変換する変換手段と、
前記変換手段によって変換された前記映像データ又は前記音データを、前記通信端末に配信する配信手段と、
前記変換手段によって変換された前記映像データ又は前記音データを、記憶手段に格納する第１格納手段と、
前記記憶手段に格納する前記映像データ又は前記音データに関するインデックス情報を、前記第１生成手段から取得した情報に基づいて生成する第２生成手段と、
前記第２生成手段によって生成された前記インデックス情報を、前記記憶手段に格納する第２格納手段と、を実現させるためのプログラム。
【発明の詳細な説明】
【技術分野】
【０００１】
本発明は、通信端末に通信ネットワークを介してデータを配信する配信システム、配信方法、及びプログラムに関する。
【背景技術】
【０００２】
従来、映像データや音声データをインデックス情報とともに記憶手段に格納する技術が知られている。例えば、特許文献１には、電子会議システムにおいて、マイク及びカメラから入力された音声及び映像と、その時点で電子黒板に表示された表示情報とを対応付けるインデックス情報を生成し、記憶手段に格納することが記載されている。
【０００３】
具体的には、特許文献１に記載の技術では、ユーザがペンやキーボードで電子黒板に入力を行うタイミング又はユーザ入力が一定時間途切れたことを検知したタイミングで、インデックス情報を生成する。このインデックス情報は、その時点で電子黒板に表示されて記憶手段に格納された表示情報と、その時点でマイク及びカメラから入力されて記憶手段に格納された音声及び映像とを対応付ける情報である。音声及び映像を再生する際には、表示情報に含まれる特定のユーザ入力の一つを指定することにより、その指定されたユーザ入力がなされたときに入力された音声及び映像を、インデックス情報に基づいて記憶手段から読み出して再生することができる。
【発明の概要】
【発明が解決しようとする課題】
【０００４】
しかし、従来技術では、記憶手段に格納する映像や音声のインデックス情報を生成する処理の負荷が大きいという問題がある。
【０００５】
本発明は、上記に鑑みてなされたものであって、記憶手段に格納する映像データ又は音データに関するインデックス情報を簡便に生成することができる配信システム、配信方法、及びプログラムを提供することを主な目的とする。
【課題を解決するための手段】
【０００６】
上述した課題を解決し、目的を達成するために、本発明は、通信端末に通信ネットワークを介してデータを配信する配信システムであって、所定の記述言語で示されたコンテンツデータを取得して、映像データ又は音データを生成する第１生成手段と、前記第１生成手段によって生成された前記映像データ又は前記音データのデータ形式を、通信ネットワークを介して前記通信端末に配信できるデータ形式に変換する変換手段と、前記変換手段によって変換された前記映像データ又は前記音データを、前記通信端末に配信する配信手段と、前記変換手段によって変換された前記映像データ又は前記音データを、記憶手段に格納する第１格納手段と、前記記憶手段に格納する前記映像データ又は前記音データに関するインデックス情報を、前記第１生成手段から取得した情報に基づいて生成する第２生成手段と、前記第２生成手段によって生成された前記インデックス情報を、前記記憶手段に格納する第２格納手段と、を備えることを特徴とする。
【発明の効果】
【０００７】
本発明によれば、第２生成手段が、映像データ又は音データを生成する第１生成手段からの情報に基づいて、記憶手段に格納する映像データ又は音データに関するインデックス情報を生成するので、インデックス情報の生成を簡便に行うことができるという効果を奏する。
【図面の簡単な説明】
【０００８】
【図１】図１は、本実施形態に係る配信システムの概略図である。
【図２】図２は、通信端末にドングルを取り付ける際のイメージ図である。
【図３】図３は、基本的な配信方法を示す概念図である。
【図４】図４は、マルチキャストの概念図である。
【図５】図５は、マルチディスプレイの概念図である。
【図６】図６は、配信管理装置を介して複数の通信端末を使った複合配信の概念図である。
【図７】図７は、配信管理装置のハードウェア構成の一例を示す図である。
【図８】図８は、ドングルのハードウェア構成の一例を示す図である。
【図９】図９は、主に配信管理装置の各機能を示す機能ブロック図である。
【図１０】図１０は、エンコーダブリッジ部の詳細図である。
【図１１】図１１は、変換部の各機能を示す機能ブロック図である。
【図１２】図１２は、インデックス情報の一例を示す概念図である。
【図１３】図１３は、主に通信端末の各機能を示す機能ブロック図である。
【図１４】図１４は、端末管理装置の各機能を示す機能ブロック図である。
【図１５】図１５は、配信先選択メニュー画面の概念図である。
【図１６】図１６は、端末管理テーブルの概念図である。
【図１７】図１７は、利用可能端末管理テーブルの概念図である。
【図１８】図１８は、保存データ管理テーブルの概念図である。
【図１９】図１９は、配信管理装置の基本的な配信処理を示すシーケンス図である。
【図２０】図２０は、映像（音）データの保存を伴う配信処理を示すシーケンス図である。
【図２１】図２１は、複数の通信端末を使った複合配信の処理を示すシーケンス図である。
【図２２】図２２は、配信管理装置と通信端末との間で行われる時刻調整の処理を示すシーケンス図である。
【図２３】図２３は、配信管理装置から通信端末に送信するデータの回線適応制御の処理を示すシーケンス図である。
【図２４】図２４は、通信端末から配信管理装置に送信するデータの回線適応制御の処理を示すシーケンス図である。
【図２５】図２５は、マルチディスプレイの処理を示すシーケンス図である。
【図２６】図２６は、マルチディスプレイの処理を示すシーケンス図である。
【図２７】図２７は、マルチディスプレイの処理を示すシーケンス図である。
【発明を実施するための形態】
【０００９】
以下に図面を用いて、本実施形態に係る配信システムを詳細に説明する。以下に示す実施形態は、クラウドコンピューティングを利用してウェブコンテンツを映像データ、音データ、又は映像データ及び音データに変換してパーソナルコンピュータや電子黒板等の通信端末に配信する配信システムとしての適用例である。なお、以下、映像及び音のうち少なくとも一方を示す場合には、「映像（音）」と表記する。
【００１０】
〔実施形態の概略〕
まず、図１を用いて、本実施形態の概略を説明する。図１は、本実施形態に係る配信システム１の概略図である。
【００１１】
＜システム構成の概略＞
まず、配信システム１の構成の概略について説明する。図１に示すように、本実施形態の配信システム１は、配信管理装置２、複数の通信端末５ａ〜５ｆ、端末管理装置７、及びウェブサーバ８を備えて構築されている。なお、以下では、複数の通信端末５ａ〜５ｆのうち、任意の通信端末を示す場合には、「通信端末５」と表記する。配信管理装置２、端末管理装置７、及びウェブサーバ８は、いずれもサーバコンピュータによって構築されている。
【００１２】
通信端末５は、配信システム１のサービスを受けるユーザが使用する端末である。このうち、通信端末５ａは、ノートＰＣ（Personal  Computer）である。通信端末５ｂは、スマートフォンやタブレット端末等のモバイル端末である。通信端末５ｃは、コピー、スキャン、プリント、及びファックスの各機能が複合されたＭＦＰ（Multifunction  Peripheral/Printer/Product）である。通信端末５ｄは、プロジェクタである。通信端末５ｅは、カメラ、マイク及びスピーカを備えたテレビ（ビデオ）会議端末である。通信端末５ｆは、ユーザ等によって描かれた文字や図形等を電子的に変換することが可能な電子黒板（ホワイトボード）である。
【００１３】
なお、通信端末５は、図１に示したような端末だけでなく、腕時計、自動販売機、ガスメータ、カーナビゲーション装置、ゲーム機、エアコン、照明器具、カメラ単体、マイク単体、スピーカ単体等であってもよい。
【００１４】
また、配信管理装置２、通信端末５、端末管理装置７、及びウェブサーバ８は、インターネットやＬＡＮ（Local  Area  Network）等の通信ネットワーク９によって通信することができる。この通信ネットワーク９には、３Ｇ（3rd  Generation）、ＷｉＭＡＸ（Worldwide  Interoperability  for  Microwave  Access）、ＬＴＥ（Long  Term  Evolution）等の無線通信によるネットワークも含まれる。
【００１５】
なお、通信端末５によっては、通信端末５ｄ等のように、通信ネットワーク９を介して他の端末やシステムと通信する機能を有していないものがある。しかし、図２に示すように、ユーザが通信端末５ｄのＵＳＢ（Universal  Serial  Bus）やＨＤＭＩ（登録商標）（High-Definition  Multimedia  Interface）等のインターフェース部にドングル９９を差し込むことで、通信端末５は通信ネットワーク９を介して他の端末やシステムと通信可能となる。なお、図２は、通信端末にドングル９９を取り付ける際のイメージ図である。
【００１６】
配信管理装置２は、クラウド上に存在するウェブブラウザとしての、いわゆるクラウドブラウザ（以下、「ブラウザ２０」と表記する）を有する。配信管理装置２は、ブラウザ２０を用いてクラウド上でウェブコンテンツをレンダリングし、これにより得られたＨ．２６４やＭＰＥＧ−４等の映像（音）データを通信端末５に配信する。
【００１７】
端末管理装置７は、管理サーバとしての機能を有し、例えば、通信端末５のログイン認証や、通信端末５の契約情報等の管理等を行う。また、端末管理装置７は、電子メールを送信するためのＳＭＴＰ（Simple  Mail  Transfer  Protocol）サーバの機能を有している。端末管理装置７は、例えば、クラウドのサービス（IaaS：Infrastructure  as  a  Service）上に展開される仮想マシンとして実現することができる。端末管理装置７は、不測の事態に対応して継続的なサービス提供を行うために、多重化して運用することが望ましい。
【００１８】
また、配信管理装置２のブラウザ２０は、リアルタイムコミュニケーション（ＲＴＣ：Real-time  communication/collaboration）を可能にしている。更に、配信管理装置２は、図１１に示す後述のエンコード部１９を有しており、このエンコード部１９は、ブラウザ２０によって生成された映像（音）データに対して、リアルタイムのエンコードを行うことができる。そのため、配信管理装置２の処理は、例えば、ＤＶＤプレーヤによって、ＤＶＤに記録されているリアルタイム性のない映像（音）データを読み出して配信する場合等とは異なる。
【００１９】
＜各種配信方式の概略＞
続いて、本実施形態の配信システム１における各種配信方式の概略について説明する。
【００２０】
（基本配信）
図３は、本実施形態の配信システム１における基本的な配信方法を示す概念図である。配信システム１では、図３に示すように、配信管理装置２のブラウザ２０がウェブサーバ８からウェブコンテンツデータ〔Ａ〕を取得し、レンダリングすることにより、映像（音）データ〔Ａ〕を生成する。そして、エンコーダブリッジ部３０が、映像（音）データ〔Ａ〕をエンコード等して、通信端末５に配信する。これにより、たとえＨＴＭＬ（Hyper  Text  Markup  Language）やＣＳＳ（Cascading  Style  Sheets）等により作成されたウェブコンテンツがリッチであっても、Ｈ．２６４やＭＰＥＧ−４等の映像（音）データとして配信されるため、低スペックの通信端末５であってもスムーズに映像（音）を再生することが可能になる。また、本実施形態の配信システム１では、配信管理装置２のブラウザ２０を最新化しておくことで、ローカルとしての通信端末５にコンテンツを提供するブラウザを最新化しなくても、最新のリッチなウェブコンテンツをスムーズに再生することが可能となる。
【００２１】
また、配信システム１は、上述の配信方法を応用し、図４乃至図６に示すように、同一拠点又は複数の拠点にある複数の通信端末５に、ウェブコンテンツを映像（音）データとして配信することも可能である。ここで、図４乃至図６に示す配信方法について説明する。
【００２２】
（マルチキャスト）
図４は、マルチキャストの概念図である。図４に示すように、配信管理装置２の単一のブラウザ２０は、ウェブサーバ８からウェブコンテンツデータ〔Ａ〕を取得してレンダリングすることで、映像（音）データ〔Ａ〕を生成する。そして、エンコーダブリッジ部３０が、映像（音）データ〔Ａ〕をエンコードする。その後、配信管理装置２は、映像（音）データ〔Ａ〕を複数の通信端末５ｆ１，５ｆ２，５ｆ３に配信する。これにより、例えば複数の拠点に設置された複数の通信端末５ｆ１，５ｆ２，５ｆ３において、同じ映像（音）が出力される。なお、この場合、複数の通信端末５ｆ１，５ｆ２，５ｆ３が同じ表示再生能力（解像度が同じ等）を有する必要はない。このような配信方法は、例えば「マルチキャスト」と呼ぶ。
【００２３】
（マルチディスプレイ）
図５は、マルチディスプレイの概念図である。図５に示すように、配信管理装置２の単一のブラウザ２０は、ウェブサーバ８からウェブコンテンツデータ〔ＸＹＺ〕を取得してレンダリングすることで、単一の映像（音）データ〔ＸＹＺ〕を生成する。そして、エンコーダブリッジ部３０が、単一の映像（音）データ〔ＸＹＺ〕を、複数の映像（音）データ〔Ｘ〕，〔Ｙ〕，〔Ｚ〕に分割した後にエンコードする。その後、配信管理装置２は、分割後の映像（音）データ〔Ｘ〕を通信端末５ｆ１に配信する。また、同じように、配信管理装置２は、分割後の映像（音）データ〔Ｙ〕を通信端末５ｆ２に配信し、分割後の映像（音）データ〔Ｚ〕を通信端末５ｆ３に配信する。これにより、例えば、横長のウェブコンテンツデータ〔ＸＹＺ〕であっても、複数の通信端末５ｆ１，５ｆ２，５ｆ３で分割して映像が表示されるため、これら通信端末５ｆ１，５ｆ２，５ｆ３を一列に並べて設置すれば、１つの大きな映像を表示させることと同様の効果を得ることができる。なお、この場合、通信端末５ｆ１，５ｆ２，５ｆ３が同じ表示再生能力（解像度が同じ等）を有する必要がある。このような配信方法は、例えば「マルチディスプレイ」と呼ぶ。
【００２４】
（複合配信）
図６は、配信管理装置２を介して複数の通信端末５を使った複合配信の概念図である。図６に示すように、第１の拠点（図６の右側）では、電子黒板としての通信端末５ｆ１及びテレビ会議端末としての通信端末５ｅ１が利用され、第２の拠点（図６の左側）では、同じく電子黒板としての通信端末５ｆ２及びテレビ会議端末としての通信端末５ｅ２が利用されている。また、第１の拠点では、通信端末５ｆ１にストロークによる文字等の操作データを表示させるための電子ペンＰ１が利用され、第２の拠点では、通信端末５ｆ２にストロークによる文字等の操作データを表示させるための電子ペンＰ２が利用されている。なお、図６に示す例では、第１の拠点において、電子黒板としての通信端末５ｆ１にテレビ会議端末としての通信端末５ｅ１が接続され、通信端末５ｅ１のカメラ・マイク・スピーカが、通信端末５ｆ１の外付けのカメラ・マイク・スピーカとして利用されている。同様に、第２の拠点において、電子黒板としての通信端末５ｆ２にテレビ会議端末としての通信端末５ｅ２が接続され、通信端末５ｅ２のカメラ・マイク・スピーカが、通信端末５ｆ２の外付けのカメラ・マイク・スピーカとして利用されている。
【００２５】
そして、第１の拠点において、通信端末５ｅ１によって取得された映像（音）データ〔Ｅ１〕は、エンコード部６０でエンコードされた後に、配信管理装置２に送信される。その後、配信管理装置２のデコード部４０でデコードされて、ブラウザ２０に入力される。また、電子ペンＰ１によって通信端末５ｆ１に描かれたストローク等を示す操作データ〔ｐ１〕は、配信管理装置２に送信され、ブラウザ２０に入力される。一方、第２の拠点においても、通信端末５ｅ２によって取得された映像（音）データ〔Ｅ２〕は、エンコード部６０でエンコードされた後に、配信管理装置２に送信される。その後、配信管理装置２のデコード部４０でデコードされて、ブラウザ２０に入力される。また、電子ペンＰ２によって通信端末５ｆ２に描かれたストローク等の操作データ〔ｐ２〕は、配信管理装置２に送信され、ブラウザ２０に入力される。
【００２６】
一方、ブラウザ２０は、例えば、ウェブサーバ８から通信端末５ｆ１，５ｆ２のぞれぞれのディスプレイに表示される背景画像のウェブコンテンツデータ〔Ａ〕を取得する。そして、ブラウザ２０は、ウェブコンテンツデータ〔Ａ〕、操作データ〔ｐ１〕，〔ｐ２〕及び映像（音）データ〔Ｅ１〕，〔Ｅ２〕を結合してレンダリングすることで、所望のレイアウトに設置した映像（音）データを生成する。そして、エンコーダブリッジ部３０は、映像（音）データをエンコードし、配信管理装置２が各拠点に同じ映像（音）データを配信する。これにより、第１の拠点では、通信端末５ｆ１のディスプレイ上に、映像（〔Ａ〕、〔ｐ１〕、〔ｐ２〕、〔Ｅ１（映像部分）〕及び〔Ｅ２（映像部分）〕）が表示されると共に、通信端末５ｅ１のスピーカから音〔Ｅ２（音部分）〕が出力される。一方、第２の拠点でも、通信端末５ｆ２のディスプレイ上に、映像（〔Ａ〕、〔ｐ１〕、〔ｐ２〕、〔Ｅ１（映像部分）〕及び〔Ｅ２（映像部分）〕）が表示されると共に、通信端末５ｅ２のスピーカから音〔Ｅ１（音部分）〕が出力される。なお、第１の拠点では、通信端末５ｆ１のエコーキャンセル機能により、自拠点の音〔Ｅ１（音部分）〕は出力されない。一方、第２の拠点では、通信端末５ｆ２のエコーキャンセル機能により、自拠点の音〔Ｅ２（音部分）〕は出力されない。
【００２７】
以上により、第１の拠点と第２の拠点とでは、遠隔地間においてリアルタイムで同じ情報を共有する遠隔共有処理を行うことができるため、本実施形態の配信システム１は遠隔会議等に有効である。
【００２８】
〔実施形態の詳細な説明〕
続いて、図７乃至図２７を用いて、実施形態の詳細な説明を行う。
【００２９】
＜実施形態のハードウェア構成＞
まず、図７及び図８を用いて、本実施形態のハードウェア構成を説明する。図７は、配信管理装置２のハードウェア構成の一例を示す図である。また、図８は、ドングル９９のハードウェア構成の一例を示す図である。なお、通信端末５、端末管理装置７、及びウェブサーバ８のハードウェア構成は、図７に示す配信管理装置２のハードウェア構成と同様であるため、説明を省略する。
【００３０】
図７に示すように、配信管理装置２は、配信管理装置２全体の動作を制御するＣＰＵ２０１、ＩＰＬ等のＣＰＵ２０１の駆動に用いられるプログラムを記憶したＲＯＭ２０２、ＣＰＵ２０１のワークエリアとして使用されるＲＡＭ２０３、プログラム等の各種データを記憶するＨＤＤ２０４、ＣＰＵ２０１の制御にしたがってＨＤＤ２０４に対する各種データの読み出し又は書き込みを制御するＨＤＣ（Hard  Disk  Controller）２０５、フラッシュメモリ等の記録メディア２０６に対するデータの読み出し又は書き込み（記憶）を制御するメディアドライブ２０７、各種情報を表示するディスプレイ２０８、通信ネットワーク９を利用してデータ送信したりドングル９９を接続するためのＩ／Ｆ２０９、キーボード２１１、マウス２１２、マイク２１３、スピーカ２１４、ＧＰＵ（Graphics  Processing  Unit）２１５、上記各構成要素を電気的に接続するためのアドレスバスやデータバス等のバスライン２２０を備えている。
【００３１】
なお、各通信端末、各システム又は各サーバ用のプログラムは、インストール可能な形式又は実行可能な形式のファイルで、上記記録メディア２０６等のコンピュータで読み取り可能な記録媒体に記録して流通させるようにしてもよい。
【００３２】
次に、図８を用いて、ドングル９９のハードウェア構成について説明する。図８に示すように、ドングル９９は、ドングル９９全体の動作を制御するＣＰＵ９１、基本入出力プログラムを記憶したＲＯＭ９２、ＣＰＵ９１のワークエリアとして使用されるＲＡＭ９３、ＣＰＵ９１の制御にしたがってデータの読み出し又は書き込みを行うＥＥＰＲＯＭ（Electrically  Erasable  and  Programmable  ROM）９４、各種の画像処理を行うＧＰＵ（Graphics  Processing  Unit）９５、通信端末５のＩ／Ｆ２０９に接続するためのＩ／Ｆ９６、アンテナ９７ａ、このアンテナ９７ａを利用して短距離無線技術により通信を行う通信部９７、及び、上記各部を電気的に接続するためのアドレスバスやデータバス等のバスライン９０を備えている。なお、短距離無線技術として、例えば、ＮＦＣ（Near  Field  Communication）規格、ＢｌｕｅＴｏｏｔｈ（登録商標）、ＷｉＦｉ（Wireless  Fidelity）、ＺｉｇＢｅｅ（登録商標）等が挙げられる。
【００３３】
＜実施形態の機能構成＞
次に、図９乃至図１８を用い、本実施形態の機能構成について説明する。
【００３４】
（配信管理装置の機能構成）
図９は、主に配信管理装置２の各機能を示す機能ブロック図である。図９では、配信管理装置２が通信端末５ｆ１に対して映像（音）データを配信する場合の機能構成を示しているが、配信先が通信端末５ｆ１以外の場合も、同様の機能構成を有する。なお、配信管理装置２は、複数の配信エンジンサーバを備えているが、説明を簡単にするために、以下では、単一の配信エンジンサーバを備えている場合について説明する。
【００３５】
配信管理装置２は、図７に例示したハードウェア構成及びプログラムによって、図９に示す各機能構成を実現する。具体的に、配信管理装置２は、ブラウザ２０、送受信部２１、ブラウザ管理部２２、送信用ＦＩＦＯ２４、時刻管理部２５、時刻取得部２６、回線適応制御部２７、エンコーダブリッジ部３０、送受信部３１、インデックス生成部３２、受信用ＦＩＦＯ３４、認識部３５、遅延情報取得部３７ａ、回線適応制御部３７ｂ、及びデコード部４０を有している。更に、配信管理装置２は、図７に示したＨＤＤ２０４によって構築される記憶部２０００を有している。この記憶部２０００には、認識部３５から出力された後述の認識情報が記憶される。なお、ブラウザ２０が取得したコンテンツデータは、キャッシュとして、記憶部２０００に一時的に記憶しておくこともできる。
【００３６】
上述の各機能構成のうち、ブラウザ２０は、配信管理装置２内で動作するウェブブラウザである。ブラウザ２０は、ウェブコンテンツデータ等のコンテンツデータをレンダリングすることにより、ＲＧＢデータ（又はＰＣＭ（Pulse  Code  Modulation）データ）を生成する。また、ブラウザ２０は、例えば後述のプラグインを用いて映像（音）ファイルを再生することにより、映像（音）データを生成することができる。本実施形態では、ブラウザ２０が生成するデータが、映像（音）データであるものとして説明する。ブラウザ２０は、ウェブコンテンツのリッチ化に対応させて常に最新化されている。
【００３７】
また、本実施形態の配信システム１では、配信管理装置２内に複数のブラウザ２０を用意しており、これら複数のブラウザ２０の中からユーザセッションに使用するクラウドブラウザが選択される。なお、ここでは、説明を簡略化するため、単一のブラウザ２０が用意されている場合について、以下続けて説明する。
【００３８】
ブラウザ２０は、例えば、Media  Player、Flash  Player、JavaScript（登録商標）、ＣＳＳ（Cascading  Style  Sheet）及びＨＴＭＬ（HyperText  Markup  Language）レンダラを有する。なお、JavaScript（登録商標）には、標準規格のものと配信システム１独自のものが含まれる。ここで、Media  Playerは、映像（音）ファイルなどのマルチメディアファイルをブラウザ２０内で再生するためのブラウザプラグインである。Flash  Playerは、Flashコンテンツをブラウザ２０内で再生するためのブラウザプラグインである。独自のJavaScript（登録商標）は、配信システム１に固有のサービスのＡＰＩ（Application  Programming  Interface)を提供するJavaScript（登録商標）群である。ＣＳＳは、ＨＴＭＬで記述されたウェブページの見栄えやスタイルを効率的に定義するための技術である。ＨＴＭＬレンダラは、ウェブキットベースのＨＴＭＬレンダリングエンジンである。
【００３９】
送受信部２１は、端末管理装置７やウェブサーバ８との間で、各種データや要求等の送受信を行う。例えば、送受信部２１は、ウェブサーバ８のコンテンツサイトからウェブコンテンツデータを受信し、ブラウザ２０に渡す。また、送受信部２１は、端末管理装置７に設けられた後述のユーザストレージ領域に格納する映像（音）データやインデックス情報を端末管理装置７に送信する。
【００４０】
ブラウザ管理部２２は、ブラウザ２０やエンコーダブリッジ部３０の管理を行う。例えば、ブラウザ管理部２２は、ブラウザ２０やエンコーダブリッジ部３０に、起動又は終了を指示したり、起動又は終了時にエンコーダＩＤを採番したりする。ここで、エンコーダＩＤは、ブラウザ管理部２２がエンコーダブリッジ部３０のプロセスを管理するために採番する識別情報である。また、ブラウザ管理部２２は、ブラウザ２０が起動されるたびに、ブラウザＩＤを採番して管理する。ここで、ブラウザＩＤは、ブラウザ管理部２２がブラウザ２０のプロセスを管理するために採番し、ブラウザ２０を識別するための識別情報である。
【００４１】
また、ブラウザ管理部２２は、送受信部３１を介して通信端末５から各種操作データ〔ｐ〕を取得し、ブラウザ２０に出力する。なお、操作データ〔ｐ〕は、通信端末５での操作イベント（キーボード２１１やマウス２１２等による操作や電子ペンＰによるストローク等）によって生じたデータである。通信端末５に、温度センサ、湿度センサ、及び加速度センサ等の各種センサが設けられている場合には、ブラウザ管理部２２は、通信端末５から各センサの出力信号であるセンサ情報を取得し、ブラウザ２０に出力する。
【００４２】
送信用ＦＩＦＯ２４は、ブラウザ２０で生成された映像（音）データ〔ＡＥｐ〕を格納するバッファである。
【００４３】
時刻管理部２５は、配信管理装置２独自の時刻Ｔを管理している。時刻取得部２６は、後述の通信端末５における時刻制御部５６と連携して、時刻調整の処理を行う。具体的には、時刻取得部２６は、時刻管理部２５から配信管理装置２における時刻Ｔを示す時刻情報（Ｔ）を取得したり、送受信部３１及び送受信部５１を介して、後述の時刻制御部５６から通信端末５における時刻ｔを示す時刻情報（ｔ）を受信したり、時刻制御部５６に時刻情報（ｔ）及び時刻情報（Ｔ）を送信したりする。
【００４４】
回線適応制御部２７は、後述の送信遅延時間情報（Ｄ）に基づいて、再生遅延情報Ｕを計算したり、エンコーダブリッジ部３０における変換部１０のフレームレートやデータの解像度等の動作条件を計算したりする。この再生遅延時間は、再生までにデータがバッファリングされることで、再生を遅延させるための時間である。
【００４５】
エンコーダブリッジ部３０は、ブラウザ２０で生成されて送信用ＦＩＦＯ２４に格納された映像（音）データ〔ＡＥｐ〕について、データ形式の変換等の処理を実行する。エンコーダブリッジ部３０によってデータ形式の変換等が行われた映像（音）データは、送受信部３１を介して、配信対象の通信端末５に配信される。また、本実施形態の配信管理装置２は、エンコーダブリッジ部３０によってデータ形式の変換等が行われた映像（音）データを、送受信部２１を介して端末管理装置７に送信し、端末管理装置７に設けられた後述のユーザストレージ領域に格納することもできる。
【００４６】
エンコーダブリッジ部３０については、図１０及び図１１を用いて、更に詳細に説明する。図１０は、エンコーダブリッジ部３０の詳細図である。また、図１１は、変換部１０の各機能を示す機能ブロック図である。
【００４７】
図１０に示すように、エンコーダブリッジ部３０は、作成・選択部３１０、及び選択部３２０と、これらの間に構築される複数の変換部１０ａ，１０ｂ，１０ｃとを備える。ここでは、３つの変換部１０ａ，１０ｂ，１０ｃを示したが、変換部の数はいくつであってもよい。なお、以下、任意の変換部を「変換部１０」と表記する。
【００４８】
更に、変換部１０は、ブラウザ２０によって生成された映像（音）データのデータ形式を、通信ネットワーク９を介して通信端末５に配信できるデータ形式に変換する。そのため、変換部１０は、図１１に示すように、トリミング部１１、リサイズ部１２、分割部１３、及びエンコード部１９を有する。トリミング部１１、リサイズ部１２、及び分割部１３は、音データの場合は、処理を行わない。
【００４９】
トリミング部１１は、映像（画像）の一部だけを切り出す処理を行う。リサイズ部１２は、映像（画像）の縮尺を変更する。分割部１３は、図５に示したように、ウェブサーバ８から取得したウェブコンテンツを分割する。
【００５０】
エンコード部１９は、ブラウザ２０で生成された画像（音）データをエンコードすることにより、通信ネットワーク９を介して通信端末５に画像（音）データを配信できるように変換する。また、エンコード部１９は、映像が動かなければ（フレーム間で変化がなければ）、以降、映像が動くまでスキップフレームを挿入することで帯域をセーブする。なお、音の場合には、エンコードだけが行われる。
【００５１】
作成・選択部３１０は、新たに変換部１０を作成したり、既に作成されている変換部１０に対して入力させる映像（音）データを選択したりする。作成・選択部３１０が新たに変換部１０を作成する場合の例としては、例えば、通信端末５における映像（音）データの再生能力に応じた変換が可能な変換部１０を作成する場合等が挙げられる。また、作成・選択部３１０が変換部１０に対して入力させる映像（音）データを選択する場合の例としては、例えば、既に作成されている変換部１０を選択する場合等が挙げられる。例えば、通信端末５ａへの配信に加えて通信端末５ｂへの配信を開始するにあたって、通信端末５ａへ配信している映像（音）データと同じ映像（音）データを通信端末５ｂへ配信する場合がある。このような場合で、更に、通信端末５ｂが通信端末５ａにおける映像（音）データの再生能力と同じ再生能力を有する場合等が挙げられる。すなわち、このような場合、作成・選択部３１０は、通信端末５ｂ用に新たな変換部１０ｂを作成せずに、通信端末５ａ用に既に作成している変換部１０ａを利用する。
【００５２】
選択部３２０は、既に作成されている変換部１０から所望のものを選択する。これら作成・選択部３１０と選択部３２０による選択によって、例えば図６に示した複数の通信端末５を使った複合配信等、様々なパターンの配信を行うことができる。
【００５３】
図９に戻り、送受信部３１は、通信端末５との間で、各種データや要求等の送受信を行う。例えば、送受信部３１は、通信端末５のログイン処理において、通信端末５の後述する送受信部５１に対し、ユーザにログイン要求を促すための認証画面データを送信する。その他に、送受信部３１は、ＨＴＴＰＳ（Hypertext  Transfer  Protocol  over  Secure  Socket  Layer）サーバを介して、配信システム１独自のプロトコルにより、配信システム１のサービスを受けるために通信端末５にインストールされたアプリケーションプログラム（ユーザアプリやデバイスアプリ）へのデータ送信およびデータ受信を行う。この独自のプロトコルは、配信管理装置２と通信端末５との間でリアルタイムに途切れることなくデータを送受信するためのＨＴＴＰＳベースのアプリケーション層プロトコルである。また、送受信部３１は、送信レスポンス制御、リアルタイムデータの作成、クライアントコマンド送信、受信レスポンス制御、受信データ分析、及びジェスチャ変換の各処理を行う。
【００５４】
送信レスポンス制御は、配信管理装置２から通信端末５にデータを送信するために、通信端末５からリクエスト（要求）されたダウンロード用のＨＴＴＰＳセッションを管理する処理である。このダウンロード用のＨＴＴＰＳセッションのレスポンスはすぐに終了せず、一定時間（１〜数分）保持する。送受信部３１は、通信端末５に送るデータを動的にレスポンスのＢｏｄｙ部に書き込む。また、再接続のコストをなくすため、通信端末５からは前のセッションが終了しないうちに別のリクエストが届くようにする。送受信部３１を、前のリクエストが完了するまで待機させておくようにすることで、再接続を行っても、オーバヘッドを削除することができる。
【００５５】
リアルタイムデータの作成は、図１１に示したエンコード部１９で生成された圧縮映像（および圧縮音）のデータに独自のヘッダを付与して、通信端末５への下り用のＨＴＴＰＳのＢｏｄｙ部に書き込む処理である。
【００５６】
クライアントコマンド送信は、通信端末５に送信するコマンドデータを生成し、通信端末５への配信用（下り用）のＨＴＴＰＳのＢｏｄｙ部に書き込む処理である。
【００５７】
受信レスポンス制御は、配信管理装置２が通信端末５からデータを受信するために、通信端末５からリクエストされた送信用（上り用）のＨＴＴＰＳセッションを管理する処理である。このＨＴＴＰＳセッションのレスポンスはすぐに終了せず、一定時間（１〜数分）保持される。通信端末５は、配信管理装置２の送受信部３１に送るデータを動的にリクエストのＢｏｄｙ部に書き込む。
【００５８】
受信データ分析は、通信端末５から送られてきたデータを種別ごとに分析し、必要なプロセスにデータを渡す処理である。
【００５９】
ジェスチャ変換は、ユーザが電子黒板としての通信端末５ｆに電子ペンＰや手書きにより入力したジェスチャイベントを、ブラウザ２０が受け取れる形式に変換する処理である。
【００６０】
インデックス生成部３２は、端末管理装置７に設けられた後述のユーザストレージ領域に格納する映像（音）データに関するインデックス情報を生成する。本実施形態の配信管理装置２では、上述したように、エンコーダブリッジ部３０によってデータ形式の変換等が行われた映像（音）データを、端末管理装置７に設けられた後述のユーザストレージ領域に格納できるようにしている。この際、インデックス生成部３２がユーザストレージ領域に格納された映像（音）データの索引として利用可能なインデックス情報を生成し、このインデックス情報を映像（音）データとともにユーザストレージ領域に格納しておくことで、ユーザストレージ領域に格納された映像（音）データの検索を容易に行えるようにしている。
【００６１】
インデックス生成部３２は、端末管理装置７に設けられた後述のユーザストレージ領域に映像（音）データを格納する際に、ブラウザ２０から取得される情報に基づいて、インデックス情報を生成する。インデックス情報は、例えば、映像（音）データの格納開始からの相対時刻を示すタイムスタンプと、その相対時刻にブラウザ２０が生成した映像（音）データの属性情報と、を含む。映像（音）データの属性情報としては、例えば、相対時刻にブラウザが映像（音）データの生成に用いたウェブコンテンツデータ等のコンテンツデータの取得先を示すＵＲＬ（Uniform  Resource  Locator）等を用いることができる。
【００６２】
図１２は、インデックス生成部３２が生成するインデックス情報の一例を示す概念図である。図１２に示すインデックス情報では、タイムスタンプ（ミリ秒）Ｔ００１，Ｔ００２，Ｔ００３，・・・と、それぞれのタイムスタンプで示される相対時刻にブラウザ２０が映像（音）データの生成に用いたコンテンツデータのＵＲＬとが対応付けられている。インデックス情報に含まれるタイムスタンプやコンテンツデータのＵＲＬは、いずれもブラウザ２０が映像（音）データを生成する際に取得して、インデックス生成部３２に渡される。インデックス生成部３２が生成したインデックス情報は、映像（音）データとともに送受信部２１を介して端末管理装置７に送信され、映像（音）データとともに端末管理装置７に設けられた後述のユーザストレージ領域に格納される。
【００６３】
なお、図１２に示すインデックス情報はスプレッドシート形式となっているが、これに限らない。映像（音）データを後に再生する際にアプリケーションの処理が容易となるように、例えば、ＸＭＬ（Extensible  Markup  Language）、ＪＡＳＯＮ（JavaScript（登録商標）  Object  Notation）、ＹＡＭＬ（YAML  Ain't  Markup  Language）等、別形式であってもよい。
【００６４】
図９に戻り、受信用ＦＩＦＯ３４は、デコード部４０でデコードされた映像（音）データを格納するバッファである。
【００６５】
認識部３５は、通信端末５から受信する映像（音）データ〔Ｅ〕に対しての処理を行う。具体的には、認識部３５は、例えば、サイネージ向けに、後述のカメラ６２で撮影された映像から人や動物の顔、年齢、及び性別などを認識する。また、認識部３５は、オフィス向けに、後述のカメラ６２で撮影された映像から顔認識による名前タグ付けや背景映像の差し替え処理などを行う。認識部３５は、認識した内容を示す認識情報を記憶部２０００に記憶させる。この認識部３５は、認識拡張ボードで処理を行うことで高速化が実現される。
【００６６】
遅延情報取得部３７ａは、上り用（通信端末５から配信管理装置２への通信用）の回線適応制御の処理に用いられる後述の遅延情報取得部５７に対応して、下り用（配信管理装置２から通信端末５への通信用）の回線適応制御の処理に用いられる。具体的には、遅延情報取得部３７ａは、デコード部４０から送信遅延時間ｄ１を示す送信遅延時間情報（ｄ１）を取得して一定時間保持しておき、複数の送信遅延時間情報（ｄ１）を取得したところで、回線適応制御部３７ｂに、複数の送信遅延時間ｄ１による度数分布情報を示す送信遅延時間情報（ｄ）を出力する。
【００６７】
回線適応制御部３７ｂは、上り用の回線適応制御の処理に用いられる上述した回線適応制御部２７に対応して、下り用の回線適応制御の処理に用いられる。具体的には、回線適応制御部３７ｂは、送信遅延時間情報（ｄ）に基づいて、エンコード部６０の動作条件を計算する。また、回線適応制御部３７ｂは、送受信部３１及び後述の送受信部５１を介して通信端末５のエンコード部６０に、フレームレートやデータの解像度等の動作条件を示す回線適応制御信号を送信する。
【００６８】
デコード部４０は、通信端末５から送信されて来た映像（音）データ〔Ｅ〕をデコードする。
【００６９】
（通信端末の機能構成）
続いて、図１３を用いて、通信端末５の機能構成について説明する。図１３は、主に通信端末５の各機能を示す機能ブロック図である。図１３では、通信端末５の１つとして通信端末５ｆ１を例示しているが、通信端末５ｆ１以外の通信端末５であっても、同様の機能構成を有する。なお、通信端末５のうち、ユーザアプリがインストールされた通信端末５は、ユーザが配信システム１へのログインや映像（音）データの配信の開始又は停止などを行うためのインターフェースとなる。一方、デバイスアプリがインストールされた通信端末５は、映像（音）データの送受信や操作データの送信を行うのみで、上記インターフェースは持たない。以下では、便宜上、通信端末５にユーザアプリがインストールされているものとして説明する。
【００７０】
通信端末５は、図７と同様のハードウェア構成及びプログラム（ユーザアプリ）によって、図１３に示す各機能構成を実現する。具体的に、通信端末５は、デコード部５０、送受信部５１、操作部５２、再生制御部５３、レンダリング部５５、時刻制御部５６、遅延情報取得部５７、表示部５８、及びエンコード部６０を有している。更に、通信端末５は、図７に示したＲＡＭ２０３によって構築される記憶部５０００を有している。この記憶部５０００には、後述の時刻差Δを示す時刻差情報（Δ）、及び通信端末５における時刻ｔを示す時刻情報（ｔ）が記憶される。
【００７１】
デコード部５０は、配信管理装置２から配信され、再生制御部５３から出力された映像（音）データ〔ＡＥｐ〕をデコードする。
【００７２】
送受信部５１は、配信管理装置２の送受信部３１、及び後述の端末管理装置７の送受信部７１ａとの間で、各種データや要求等の送受信を行う。例えば、送受信部５１は、通信端末５のログイン処理において、操作部５２による通信端末５の起動に基づき、端末管理装置７の送受信部７１にログイン要求を行う。
【００７３】
操作部５２は、ユーザの操作入力を受け付ける処理を行う。例えば、操作部５２は、電源スイッチ、キーボード、マウス、電子ペンＰ等による入力や選択等を受け付け、操作データとして配信管理装置２のブラウザ管理部２２に送信する。
【００７４】
再生制御部５３は、送受信部５１から受けた映像（音）データ（リアルタイムデータのパケット）をバッファリングし、再生遅延時間Ｕを考慮してデコード部５０に出力する。
【００７５】
レンダリング部５５は、デコード部５０によってデコードされたデータをレンダリングする。
【００７６】
時刻制御部５６は、配信管理装置２の時刻取得部２６と連携して、時刻調整の処理を行う。具体的には、時刻制御部５６は、記憶部５０００から通信端末５における時刻ｔを示す時刻情報（ｔ）を取得する。また、時刻制御部５６は、送受信部５１及び送受信部３１を介して、配信管理装置２の時刻取得部２６に、配信管理装置２における時刻Ｔを示す時刻情報（Ｔ）を要求する。この場合、時刻情報（Ｔ）の要求と共に、時刻情報（ｔ）が送信される。
【００７７】
遅延情報取得部５７は、再生制御部５３から送信遅延時間Ｄ１を示す送信遅延時間情報（Ｄ１）を取得して一定時間保持しておき、複数の送信遅延時間情報（Ｄ１）を取得したところで、送受信部５１及び送受信部３１を介して回線適応制御部２７に、複数の送信遅延時間Ｄ１による度数分布情報を示す送信遅延時間情報（Ｄ）を送信する。なお、送信遅延時間情報（Ｄ）は、例えば、１００フレームに１回送信される。
【００７８】
表示部５８は、レンダリング部５５によってレンダリングされたデータを再生する。
【００７９】
エンコード部６０は、内蔵されたマイク２１３（図７参照）や、外付けのカメラ６２及びマイク６３から取得してエンコードした映像（音）データ〔Ｅ〕と、記憶部５０００から取得した現時点の通信端末５における時刻ｔ０を示す時刻情報（ｔ０）と、同じく記憶部５０００から取得した時間差Δを示す時間差情報（Δ）を、送受信部５１及び送受信部３１を介して、配信管理装置２のデコード部４０に送信する。エンコード部６０の動作条件は、回線適応制御部３７ｂから受信した回線適応制御信号に基づいて変更される。更に、動作条件が変更されると、エンコード部６０は、新たな動作条件に従って、カメラ６２及びマイク６３から取得してエンコードした映像（音）データ〔Ｅ〕と、記憶部５０００から取得した現時点の通信端末５における時刻ｔ０を示す時刻情報（ｔ０）と、記憶部５０００から取得した時間差Δを示す時間差情報（Δ）とを、送受信部５１及び送受信部３１を介して、配信管理装置２のデコード部４０に送信する。
【００８０】
なお、内蔵されたマイク２１３や、外付けのカメラ６２及びマイク６３は、入力手段の一例であり、エンコードやデコードが必要な各種デバイスである。入力手段は、映像（音）データの他に、触覚（touch）データや嗅覚（smell）データを出力することができてもよい。図１３では、電子黒板としての通信端末５ｆ１にテレビ会議端末としての通信端末５ｅが接続され、通信端末５ｅのカメラ及びマイクが、通信端末５ｆ１の外付けのカメラ６２及びマイク６３として利用される例を示している。
【００８１】
（端末管理装置の機能構成）
続いて、図１４を用いて、端末管理装置７の機能構成について説明する。図１４は、端末管理装置７の各機能を示す機能ブロック図である。
【００８２】
端末管理装置７は、図７と同様のハードウェア構成及びプログラムによって、図１４に示す各機能構成を実現する。具体的に、端末管理装置７は、送受信部７１ａ、送受信部７１ｂ、及び認証部７５を有している。また、端末管理装置７は、図７に示したＨＤＤ２０４によって構築される記憶部７０００を有している。更に、端末管理装置７は、データ格納部７６、インデックス格納部７７、管理情報生成部７８、及び管理情報格納部７９を有している。
【００８３】
送受信部７１ａは、通信端末５との間で、各種データや要求等の送受信を行う。例えば、送受信部７１ａは、通信端末５の送受信部５１からログイン要求を受信したり、送受信部５１に対してログイン要求の認証結果を送信したりする。ログイン要求は、配信システム１に対する通信端末５の認証要求である。ログイン要求は、通信端末５を一意に識別する端末ＩＤと、ユーザ証明書を含む。
【００８４】
送受信部７１ｂは、配信管理装置２との間で、各種データや要求等の送受信を行う。例えば、送受信部７１ｂは、配信管理装置２の送受信部２１から、後述の配信先選択メニューデータ７０３０の要求を受信したり、送受信部２１に対して、配信先選択メニューデータ７０３０を送信したりする。また、送受信部７１ｂは、配信管理装置２の送受信部２１から、後述のユーザストレージ領域７０５０に格納する映像（音）データやインデックス情報を受信する。
【００８５】
認証部７５は、通信端末５から受信したログイン要求に含まれる端末ＩＤ及びユーザ証明書に基づいて、端末管理テーブル７０１０を検索することにより、同じ組み合わせの端末ＩＤ及びユーザ証明書があるか否かを判断することで、通信端末５ａの認証を行う。
【００８６】
記憶部７０００には、配信先選択メニューデータ７０３０、端末管理テーブル７０１０、利用可能端末管理テーブル７０２０、及び保存データ管理テーブル７０４０が記憶される。また、記憶部７０００には、ユーザごとに割り当てられたデータの保存領域であるユーザストレージ領域７０５０が設けられている。
【００８７】
配信先選択メニューデータ７０３０は、図１５に示すような配信先選択メニュー画面を表示させるためのデータである。図１５は、配信先選択メニュー画面の概念図である。この図１５に示す配信先選択メニュー画面では、映像（音）データの配信先として選択できる通信端末５について、後述の共有ＩＤ及び表示名が一覧表示される。ユーザは、この配信先選択メニュー画面上で、映像（音）データの配信先として希望する通信端末５の項目にチェックを入れ、「ＯＫ」ボタンを押下することで、希望する通信端末５に映像（音）データを配信させることができる。
【００８８】
図１６は、端末管理テーブル７０１０の概念図である。端末管理テーブル７０１０では、図１６に示すように、登録されている通信端末５の端末ＩＤ、ユーザ証明書、ユーザが配信システム１のサービスを利用する際の契約情報、通信端末５の端末種別、各通信端末５のホームＵＲＬ（Uniform  Resource  Locator）を示す設定情報、各通信端末５の実行環境情報、共有ＩＤ、設置位置情報、及び表示名情報が関連付けて管理されている。
【００８９】
ユーザ証明書は、配信システム１への接続を許可された通信端末５であることを証明する証明書である。ユーザ証明書は、配信システム１への接続を許可された通信端末５に予め与えられている。契約情報は、端末ＩＤによって特定される通信端末５を使用するユーザが配信システム１のサービスを利用する際の契約内容を示す。端末種別は、通信端末５の種別を示す。設定情報は、対応する端末ＩＤによって識別される通信端末５のホームＵＲＬを示す。
【００９０】
実行環境情報には、各通信端末５の「お気に入り」、「前回のＣｏｏｋｉｅ情報」、及び「キャッシュファイル」が含まれており、各通信端末５のログイン後に、設定情報と共に配信管理装置２に送信され、各通信端末５に対して個別のサービスを行うために利用される。
【００９１】
また、共有ＩＤは、各ユーザが、自己の通信端末５に配信されている映像（音）データと同じ内容の映像（音）データを他の通信端末５にも配信させることで、遠隔共有処理を行う場合に利用されるＩＤであり、他の通信端末又は他の通信端末群を識別する識別情報である。図１６に示す例では、端末ＩＤ「ｔ００６」の共有ＩＤは「ｖ００６」であり、端末ＩＤ「ｔ００７」の共有ＩＤは「ｖ００６」であり、更に、端末ＩＤ「ｔ００８」の共有ＩＤは「ｖ００６」である。この場合、端末ＩＤ「ｔ００１」の通信端末５ａから、共有ＩＤ「ｖ００６」の通信端末５ｆ１，５ｆ２，５ｆ３との遠隔共有処理の要求があった場合には、配信管理装置２は、通信端末５ｆ１，５ｆ２，５ｆ３に対して、通信端末５ａに配信中の映像（音）データと同じ映像（音）データを配信する。但し、通信端末５ａと通信端末５ｆ１，５ｆ２，５ｆ３の表示部５８の解像度が異なる場合には、これに応じて、配信管理装置２が映像（音）データを配信する。
【００９２】
設置位置情報は、例えば、図５に示したように、複数の通信端末５ｆ１，５ｆ２，５ｆ３が並んで設置される場合の設置位置を示している。表示名情報は、図１５に示した配信先選択メニュー画面の表示名の内容を表す情報である。
【００９３】
図１７は、利用可能端末管理テーブル７０２０の概念図である。利用可能端末管理テーブル７０２０では、端末ＩＤ毎に、この端末ＩＤによって示される通信端末５が遠隔共有処理することが可能な他の通信端末又は他の通信端末群を示す共有ＩＤが関連付けて管理されている。
【００９４】
図１８は、保存データ管理テーブル７０４０の概念図である。保存データ管理テーブル７０４０では、ユーザストレージ領域７０５０に格納された映像（音）データを識別するためのコンテンツＩＤと、このコンテンツＩＤで識別される映像（音）データに関するインデックス情報を識別するためのインデックスＩＤとが関連付けて管理されている。この保存データ管理テーブル７０４０の各エントリに登録される情報（管理情報）は、ユーザストレージ領域７０５０に映像（音）データが格納されるたびに後述の管理情報生成部７８により生成され、後述の管理情報格納部７９によって、保存データ管理テーブル７０４０に反映（記憶部７０００に格納）される。
【００９５】
ユーザストレージ領域７０５０は、エンコーダブリッジ部３０によってデータ形式の変換等が行われた映像（音）データ、つまり通信端末５に配信された映像（音）データと同じデータを保存するためにユーザに割り当てられた領域である。ユーザストレージ領域７０５０は、例えば、ユーザごとに契約によって割り当てられる。ユーザストレージ領域７０５０への映像（音）データの保存（格納）は、例えばユーザ操作に応じて行われる。つまり、ユーザ操作により指定されたタイミングで映像（音）データの保存が開始され、ユーザ操作により指定されたタイミングで映像（音）データの保存が終了する。また、ユーザストレージ領域７０５０に保存（格納）された映像（音）データは、例えばユーザ操作に応じて適宜再生することができる。この際、上述したインデックス情報を用いて、再生する映像（音）データの検索を容易に行うことができる。
【００９６】
なお、本実施形態ではユーザストレージ領域７０５０を端末管理装置７の記憶部７０００に設けているが、ユーザストレージ領域７０５０を端末管理装置７とは別体の外部記憶装置に設ける構成としてもよい。また、記憶部７０００に格納しているその他の情報も同様に、端末管理装置７とは別体の外部記憶装置に格納してもよい。この場合、端末管理装置７と外部記憶装置を、例えばＴＣＰ／ＩＰ（Transmission  Control  Protocol／Internet  Protocol）により接続すればよい。
【００９７】
データ格納部７６は、送受信部７１ｂが配信管理装置２から受信した映像（音）データを、記憶部７０００のユーザストレージ領域７０５０に格納する。映像（音）データを格納するユーザストレージ領域７０５０の判別は、例えば、通信端末５の認証時に通信端末５から送信される端末ＩＤをもとに、図１６に示した端末管理テーブル７０１０からユーザに関する情報を取得することで実現できる。具体的には、例えば、図１６では図示していないが、端末管理テーブル７０１０の端末ＩＤに対応する契約情報として契約ＩＤを格納し、端末管理テーブル７０１０とは別のテーブルとして、契約ＩＤとユーザ情報を含む契約の詳細情報とを対応付けて管理する契約テーブルを設けておく。そして、通信端末５の端末ＩＤをもとに契約ＩＤを特定し、契約ＩＤをもとに契約テーブルからユーザ情報を取得し、取得したユーザ情報に対応するユーザストレージ領域７０５０に映像（音）データを格納するといった方法が考えられる。
【００９８】
インデックス格納部７７は、送受信部７１ｂが配信管理装置２から受信したインデックス情報を、記憶部７０００のユーザストレージ領域７０５０に格納する。
【００９９】
管理情報生成部７８は、例えば、ユーザストレージ領域７０５０への映像（音）データ及びインデックス情報の格納が終了したときに、これら映像（音）データとインデックス情報にそれぞれコンテンツＩＤとインデックスＩＤとを割り当てる。そして、これらコンテンツＩＤとインデックスＩＤとを関連付けて、保存データ管理テーブル７０４０のエントリに登録する管理情報を生成する。
【０１００】
管理情報格納部７９は、管理情報生成部７８によって生成された管理情報、すなわちコンテンツＩＤとインデックスＩＤとを関連付けた管理情報を記憶部７０００に格納し、保存データ管理テーブル７０４０に反映させる。
【０１０１】
端末管理装置７では、保存データ管理テーブル７０４０を用いて、ユーザストレージ領域７０５０に格納された映像（音）データとインデックス情報との関係を特定できる。なお、端末管理装置７は、図示を省略するが、ユーザストレージ領域７０５０に格納された映像（音）データの格納場所とその映像（音）データに割り当てられたコンテンツＩＤとの関係や、ユーザストレージ領域７０５０に格納されたインデックス情報の格納場所とそのインデックス情報に割り当てられたインデックスＩＤとの関係を別途管理している。そして、端末管理装置７は、これらコンテンツＩＤやインデックスＩＤをもとに、ユーザストレージ領域７０５０から映像（音）データやインデックス情報を取り出すことができる。
【０１０２】
〔実施形態の動作または処理〕
続いて、図１９乃至図２７を用いて、本実施形態の動作または処理について説明する。
【０１０３】
＜基本的な配信処理＞
まず、図１９を用いて、配信管理装置２の基本的な配信方法における具体的な配信処理を説明する。図１９は、配信管理装置２の基本的な配信処理を示すシーケンス図である。なお、ここでは、通信端末５ａを用いてログイン要求する場合について説明するが、通信端末５ａ以外の通信端末５を用いてログインしてもよい。
【０１０４】
図１９に示すように、通信端末５ａにおいてユーザが電源オンにすると、通信端末５ａの送受信部５１は、端末管理装置７の送受信部７１ａを介して認証部７５に、ログイン要求を行う（ステップＳ２１）。このログイン要求には、通信端末５ａの端末ＩＤ及びユーザ証明書が含まれている。
【０１０５】
次に、端末管理装置７の認証部７５は、通信端末５ａから受信した端末ＩＤ及びユーザ証明書に基づいて、端末管理テーブル７０１０を検索することにより、同じ組み合わせの端末ＩＤ及びユーザ証明書があるか否かを判断することで、通信端末５ａの認証を行う（ステップＳ２２）。ここでは、端末管理テーブル７０１０に同じ組み合わせの端末ＩＤ及びユーザ証明書がある、即ち、通信端末５ａが配信システム１における正当な端末であると認証された場合について、以下に続けて説明する。
【０１０６】
次に、端末管理装置７の認証部７５は、送受信部７１ａを介して、通信端末５ａの送受信部５１ｂに、配信管理装置２のＩＰアドレスを送信する（ステップＳ２３）。なお、配信管理装置２のＩＰアドレスは、予め端末管理装置７によって取得されて、記憶部７０００に記憶されている。
【０１０７】
次に、端末管理装置７の送受信部７１ｂは、配信管理装置２の送受信部２１を介して、ブラウザ管理部２２に、ブラウザ２０の起動要求を行う（ステップＳ２４）。この起動要求に応じて、配信管理装置２のブラウザ管理部２２は、ブラウザ２０を起動させる（ステップＳ２５）。
【０１０８】
次に、エンコーダブリッジ部３０の作成・選択部３１０が、通信端末５ａの再生能力（ディスプレイの解像度等）及びコンテンツの種類に従って変換部１０を作成する（ステップＳ２６）。
【０１０９】
次に、ブラウザ２０が、ウェブサーバ８に対して、コンテンツデータ〔Ａ〕を要求する（ステップＳ２７）。これに応じて、ウェブサーバ８は、要求されたコンテンツデータ〔Ａ〕を自己の記憶部（不図示）から読み出す（ステップＳ２８）。そして、ウェブサーバ８は、配信管理装置２の送受信部２１を介して、要求元であるブラウザ２０にコンテンツデータ〔Ａ〕を送信する（ステップＳ２９）。
【０１１０】
次に、ブラウザ２０が、コンテンツデータ〔Ａ〕をレンダリングして画像（音）データ〔Ａ〕を生成し、送信用ＦＩＦＯ２４に出力する（ステップＳ３０）。そして、変換部１０が、送信用ＦＩＦＯ２４に格納された画像（音）データ〔Ａ〕をエンコードすることで、通信端末５ａに配信すべき映像（音）データ〔Ａ〕に変換する（ステップＳ３１）。
【０１１１】
次に、エンコーダブリッジ部３０は、送受信部３１及び送受信部５１を介して、再生制御部５３に映像（音）データ〔Ａ〕を送信する（ステップＳ３２）。これにより、通信端末５ａでは、再生制御部５３からデコード部５０に、映像（音）データ〔Ａ〕が出力され、スピーカ６１から音が再生されると共に、レンダリング部５５を介して表示部５８にて映像が再生される（ステップＳ３３）。
【０１１２】
＜映像（音）データの保存を伴う配信処理＞
次に、図２０を用いて、映像（音）データの保存（ユーザストレージ領域７０５０への格納）を伴う配信処理を説明する。図２０は、映像（音）データの保存を伴う配信処理を示すシーケンス図である。なお、図２０のステップＳ２１〜ステップＳ３３の処理は図１９のステップＳ２１〜ステップＳ３３と同様であるため、重複した説明は省略し、ステップＳ３４の処理から説明する。
【０１１３】
図２０のステップＳ３４以降の処理は、例えば、通信端末５ａを使用するユーザが現在配信されている映像（音）データの保存を開始するユーザ操作を行った場合に実施される。このようなユーザ操作があった場合、エンコーダブリッジ部３０は、ステップＳ３１にて変換部１０により変換された映像（音）データ〔Ａ〕を、送受信部２１を介して端末管理装置７に送信する（ステップＳ３４）。この映像（音）データ〔Ａ〕は、端末管理装置７の送受信部７１ｂにより受信される。
【０１１４】
次に、端末管理装置７のデータ格納部７６が、送受信部７１ｂにより受信された映像（音）データ〔Ａ〕を、ユーザ操作を行ったユーザに割り当てられた記憶部７０００のユーザストレージ領域７０５０に格納（保存）する（ステップＳ３５）。
【０１１５】
また、映像（音）データ〔Ａ〕の保存が開始されると、配信管理装置２のインデックス生成部３２が、映像（音）データ〔Ａ〕の保存を開始してからの相対時刻を示すタイムスタンプと、その相対時刻において映像（音）データ〔Ａ〕の生成に用いたコンテンツデータのＵＲＬをブラウザ２０から取得し、これらの情報を含むインデックス情報を生成する（ステップＳ３６）。そして、インデックス生成部３２は、生成したインデックス情報を、送受信部２１を介して端末管理装置７に送信する（ステップＳ３７）。このインデックス情報は、端末管理装置７の送受信部７１ｂにより受信される。
【０１１６】
次に、端末管理装置７のインデックス格納部７７が、送受信部７１ｂにより受信されたインデックス情報を、ユーザ操作を行ったユーザに割り当てられた記憶部７０００のユーザストレージ領域７０５０に格納（保存）する（ステップＳ３８）。上記ステップＳ３４〜ステップＳ３８の処理は、ユーザが映像（音）データの保存を終了するユーザ操作を行うまで継続される。そして、このようなユーザ操作に応じて上記ステップＳ３４〜ステップＳ３８の処理が終了すると、端末管理装置７の管理情報生成部７８が、ステップＳ３５でユーザストレージ領域７０５０に格納された映像（音）データにコンテンツＩＤを割り当てるとともに、ステップＳ３８でユーザストレージ領域７０５０に格納されたインデックス情報にインデックスＩＤを割り当てて、これらコンテンツＩＤとインデックスＩＤとを関連付けた管理情報を生成する（ステップＳ３９）。そして、管理情報格納部７９が、管理情報生成部７８によって生成された管理情報を記憶部７０００に格納し、保存データ管理テーブル７０４０に反映させる（ステップＳ４０）。
【０１１７】
＜複数の通信端末を使った複合配信の処理＞
続いて、図２１を用いて、配信管理装置２を介して複数の通信端末５を使った複合配信の処理を説明する。図２１は、複数の通信端末５を使った複合配信の処理を示すシーケンス図である。ここでは、複数の通信端末５として通信端末５ｆ１，５ｆ２を想定し、図６に示したパターンについて具体的な処理を説明する。なお、ここでも、図１９のステップＳ２１〜ステップＳ２９と同様のログイン処理及びブラウザ起動等の処理が行われるが、図１９のステップＳ２１〜ステップＳ２８に対応する処理の説明は省略し、ステップＳ２９に対応するステップＳ４１の処理から説明する。
【０１１８】
図２１に示すように、配信管理装置２のブラウザ２０は、ウェブサーバ８から送受信部２１を介してコンテンツデータ〔Ａ〕を受信する（ステップＳ４１）。そして、ブラウザ２０は、コンテンツデータ〔Ａ〕をレンダリングすることにより、画像（音）データを生成して、送信用ＦＩＦＯ２４に出力する（ステップＳ４２）。
【０１１９】
一方、通信端末５ｆ１のエンコード部６０が、カメラ６２及びマイク６３からコンテンツデータ〔Ｅ〕の入力を受け付けると（ステップＳ４３）、エンコード部６０はエンコードした後、送受信部５１及び送受信部３１を介して、配信管理装置２のデコード部４０にコンテンツデータ〔Ｅ〕を送信する（ステップＳ４４）。これにより、コンテンツデータ〔Ｅ〕は、デコード部４０でデコードされた後、受信用ＦＩＦＯ３４を介して、ブラウザ２０に入力される。そして、ブラウザ２０は、コンテンツデータ〔Ｅ〕をレンダリングすることにより、画像（音）データ〔Ｅ〕を生成して、送信用ＦＩＦＯ２４に出力する（ステップＳ４５）。この場合、ブラウザ２０は、既に取得しているコンテンツデータ〔Ａ〕に対して、コンテンツデータ〔Ｅ〕を結合して出力する。
【０１２０】
更に、通信端末５ｆ１の操作部５２が、電子ペンＰ１によるストローク操作の入力を受け付けると（ステップＳ４６）、操作部５２は、送受信部５１及び送受信部３１を介して、ブラウザ管理部２２に操作データ〔ｐ〕を送信する（ステップＳ４７）。これにより、操作データ〔ｐ〕は、配信管理装置２のブラウザ管理部２２からブラウザ２０に入力される。そして、ブラウザ２０は、操作データ〔ｐ〕をレンダリングすることにより、画像データ〔ｐ〕を生成して、送信用ＦＩＦＯ２４に出力する（ステップＳ４８）。この場合、ブラウザ２０は、既に取得しているコンテンツデータ（〔Ａ〕，〔Ｅ〕）に対して、操作データ〔ｐ〕を結合して出力する。
【０１２１】
次に、変換部１０が、送信用ＦＩＦＯ２４に格納された画像（音）データ（〔Ａ〕，〔Ｅ〕，〔ｐ〕）をエンコードすることで、通信端末５ａに配信すべき映像（音）データ（〔Ａ〕，〔Ｅ〕，〔ｐ〕）に変換する（ステップＳ４９）。そして、エンコーダブリッジ部３０は、送受信部３１及び送受信部５１を介して、通信端末５ｆ１の再生制御部５３に映像（音）データ（〔Ａ〕，〔Ｅ〕，〔ｐ〕）を送信する（ステップＳ５０−１）。その後、映像（音）データ（〔Ａ〕，〔Ｅ〕，〔ｐ〕）は、通信端末５ｆ１のデコード部５０でデコードされてスピーカ６１に音が出力されると共に、レンダリング部５５でレンダリングされて表示部５８に映像が出力される（ステップＳ５１−１）。
【０１２２】
また、エンコーダブリッジ部３０は、送受信部３１及び送受信部５１を介して、通信端末５ｆ２の再生制御部５３に対しても、同様の映像（音）データ（〔Ａ〕，〔Ｅ〕，〔ｐ〕）を送信する（ステップＳ５０−２）。その後、映像（音）データ（〔Ａ〕，〔Ｅ〕，〔ｐ〕）は、通信端末５ｆ２のデコード部５０でデコードされてスピーカ６１に音が出力されると共に、レンダリング部５５でレンダリングされて表示部５８に映像が出力される（ステップＳ５１−２）。これにより、通信端末５ｆ１で出力される映像（音）と同じ映像（音）が、通信端末５ｆ２でも出力されることになる。
【０１２３】
＜時刻調整の処理＞
続いて、図２２を用いて、時刻調整の処理について説明する。図２２は、配信管理装置２と通信端末５との間で行われる時刻調整の処理を示すシーケンス図である。
【０１２４】
図２２に示すように、まず、通信端末５の時刻制御部５６は、送受信部５１が配信管理装置２に時刻情報（Ｔ）を要求する時刻を取得するために、記憶部５０００から通信端末５における時刻情報（ｔｓ）を取得する（ステップＳ８１）。そして、送受信部５１は送受信部３１に、配信管理システム２における時刻情報（Ｔ）を要求する（ステップＳ８２）。この場合、時刻情報（Ｔ）の要求と共に、上記時刻情報（ｔｓ）が送信される。
【０１２５】
次に、時刻取得部２６は、送受信部３１が上記ステップＳ８２の要求を受信した時刻を取得するために、時刻管理部２５から配信管理装置２における時刻情報（Ｔｒ）を取得する（ステップＳ８３）。更に、時刻取得部２６は、送受信部３１が上記ステップＳ８２の要求に応答する時刻を取得するために、時刻管理部２５から配信管理装置２における時刻情報（Ｔｓ）を取得する（ステップＳ８４）。そして、送受信部３１は送受信部５１に、時刻情報（ｔｓ,  Ｔｒ，Ｔｓ）を送信する（ステップＳ８５）。
【０１２６】
次に、通信端末５の時刻制御部５６は、送受信部５１が上記ステップＳ８５の応答を受信した時刻を取得するために、記憶部５０００から通信端末５における時刻情報（ｔｒ）を取得する（ステップＳ８６）。そして、通信端末５の時刻制御部５６は、配信管理システム２と通信端末５との間の時刻差Δを計算する（ステップＳ８７）。この時刻差Δは、下記式（１）によって表される。
Δ＝（（Ｔｒ＋Ｔｓ）／２）−（（ｔｒ＋ｔｓ）／２）  ・・・（１）
【０１２７】
そして、時刻制御部５６は、記憶部５０００に時刻差Δを示す時刻差情報（Δ）を記憶する（ステップＳ８８）。この時刻調整の一連の処理は、例えば、毎分定期的に行われる。
【０１２８】
＜下り用の回線適応制御の処理＞
続いて、図２３を用いて、配信管理装置２から通信端末５に送信する（下り）データの回線適応制御の処理を説明する。図２３は、配信管理装置２から通信端末５に送信するデータの回線適応制御の処理を示すシーケンス図である。
【０１２９】
まず、配信管理装置２のエンコーダブリッジ部３０は、送受信部３１及び送受信部５１を介して、通信端末５の再生制御部５３に、再生までにバッファリングして再生を遅延させるための再生遅延時間を示す再生遅延時間情報（Ｕ）を送信する（ステップＳ１０１）。また、エンコーダブリッジ部３０は、送信用ＦＩＦＯ２４から取得してエンコード等を行った映像（音）データ〔Ａ〕に対して、時刻管理部２５から取得した現時点の時刻Ｔ０をタイムスタンプとして付加し、送受信部３１及び送受信部５１を介して、通信端末５の再生制御部５３に送信する（ステップＳ１０２）。
【０１３０】
一方、通信端末５では、再生制御部５３が、通信端末５における時刻（Ｔ０＋Ｕ−Δ）になるまで待ってから、映像（音）データをデコード部５０に出力することで、スピーカ６１から音を再生させ、レンダリング部５５を介して表示部５８から映像を再生させる（ステップＳ１０３）。即ち、下記式（２）に示される再生遅延時間Ｕの範囲内に通信端末５が受信した映像（音）データだけが再生されることになり、範囲外の映像（音）データは再生されずに消去される。
Ｕ≧（ｔ０＋Δ）−Ｔ０  ・・・（２）
【０１３１】
また、再生制御部５３は、記憶部５０００から、通信端末５における現時点の時刻ｔ０を読み出す（ステップＳ１０４）。この時刻ｔ０は、通信端末５が配信管理装置２から映像（音）データを受信した時点の通信端末５における時刻を示す。更に、再生制御部５３は、記憶部５０００から、図２２のステップＳ８８によって記憶されている時刻差Δを示す時刻差情報（Δ）を読み出す（ステップＳ１０５）。そして、再生制御部５３は、上記の時刻Ｔ０と時刻ｔ０と時刻差Δとを用いて、映像（音）データが配信管理装置２から送信されて通信端末５で受信されるまでの時間を示す送信遅延時間Ｄ１を計算する（ステップＳ１０６）。この計算は、下記式（３）によって行われる。通信ネットワーク９が混雑している場合には、送信遅延時間Ｄ１が長くなる。
Ｄ１＝（ｔ０＋Δ）−Ｔ０  ・・・（３）
【０１３２】
次に、遅延情報取得部５７が、再生制御部５３から送信遅延時間Ｄ１を示す送信遅延時間情報（Ｄ１）を取得して一定時間保持しておき、複数の送信遅延時間情報（Ｄ１）を取得したところで、送受信部５１及び送受信部３１を介して、配信管理装置２の回線適応制御部２７に、複数の送信遅延時間Ｄ１による度数分布情報を示す送信遅延時間情報（Ｄ）を送信する（ステップＳ１０７）。
【０１３３】
次に、配信管理装置２の回線適応制御部２７は、送信遅延時間情報（Ｄ）に基づいて、新たに再生遅延情報Ｕ’を計算したり、変換部１０のフレームレートやデータの解像度等の動作条件を計算したりする（ステップＳ１０８）。
【０１３４】
次に、配信管理装置２のエンコーダブリッジ部３０は、送受信部３１及び送受信部５１を介して、通信装置５の再生制御部５３に、上記ステップＳ１０８によって計算された新たな再生遅延時間Ｕ’を示す再生遅延時間情報（Ｕ’）を送信する（ステップＳ１０９）。
【０１３５】
更に、エンコーダブリッジ部３０内の変換部１０が、回線適応制御信号に基づいて、動作条件を変更する（ステップＳ１１０）。例えば、送信遅延時間Ｄ１が長すぎる場合、送信遅延時間Ｄ１に応じて再生遅延時間Ｕを長くすると、スピーカ６１や表示部５８での再生時間が遅くなり過ぎるため、再生遅延時間Ｕを長くすることには限界がある。そこで、回線適応制御部２７は、エンコーダブリッジ部３０に対して、再生遅延時間Ｕを変更させて再生遅延時間Ｕ’とするだけでなく、変換部１０に対して、映像（音）データのフレームレートを下げさせたり、映像（音）データの解像度を下げさせたりすることで、通信ネットワーク９の混雑に対応することができる。これにより、エンコーダブリッジ部３０は、変更後の動作条件に従って、上記ステップＳ１０２のように、現時点の時刻Ｔ０をタイムスタンプとして付加した映像（音）データを通信端末５の再生制御部５３に送信する（ステップＳ１１１）。
【０１３６】
次に、通信端末５では、再生制御部５３が、通信端末５における時刻（Ｔ０＋Ｕ’−Δ）になるまで待ってから、映像（音）データをデコード部５０に出力することで、上記ステップＳ１０３のように、スピーカ６１から音を再生させ、レンダリング部５５を介して表示部５８から映像を再生させる（ステップＳ１１２）。その後、上記ステップＳ１０４以降の処理が続けて行われる。このようにして、下り用の回線適応制御の処理が継続して行われる。
【０１３７】
＜上り用の回線適応制御の処理＞
続いて、図２４を用いて、通信端末５から配信管理装置２に送信する（上り）データの回線適応制御の処理を説明する。図２４は、通信端末５から配信管理装置２に送信するデータの回線適応制御の処理を示すシーケンス図である。
【０１３８】
まず、通信端末５のエンコード部６０は、カメラ６２及びマイク６３から取得してエンコードした映像（音）データ〔Ｅ〕と、記憶部５０００から取得した現時点の通信端末５における時刻ｔ０を示す時刻情報（ｔ０）と、記憶部５０００から取得した時間差Δを示す時間差情報（Δ）とを、送受信部５１及び送受信部３１を介して、配信管理装置２のデコード部４０に送信する（ステップＳ１２１）。
【０１３９】
次に、配信管理装置２では、デコード部４０が上記ステップＳ１２１によって映像（音）データ〔Ｅ〕等を受信した時点の時刻Ｔ０を、時刻管理部２５から読み出す（ステップＳ１２２）。そして、デコード部４０は、映像（音）データが通信端末５から送信されて配信管理装置２で受信されるまでの時間を示す送信遅延時間ｄ１を計算する（ステップＳ１２３）。この計算は、下記式（４）によって行われる。通信ネットワーク９が混雑している場合には、送信遅延時間Ｄ２が長くなる。
ｄ１＝Ｔ０−（ｔ０＋Δ）  ・・・（４）
【０１４０】
次に、配信管理装置２の遅延情報取得部３７ａは、通信端末５の遅延情報取得部５７と同様に、デコード部４０から送信遅延時間ｄ１を示す送信遅延時間情報（ｄ１）を取得して一定時間保持しておき、複数の送信遅延時間情報（ｄ１）を取得したところで、回線適応制御部３７ｂに、複数の送信遅延時間ｄ１による度数分布情報を示す送信遅延時間情報（ｄ）を出力する（ステップＳ１２４）。
【０１４１】
次に、回線適応制御部３７ｂが、送信遅延時間情報（ｄ）に基づいて、通信端末５のエンコード部６０の動作条件を計算する（ステップＳ１２５）。そして、回線適応制御部３７ｂは、送受信部３１及び送受信部５１を介して、通信端末５のエンコード部６０に、フレームレートやデータの解像度等の動作条件を示す回線適応制御信号を送信する（ステップＳ１２６）。即ち、下りの場合の回線適応制御部２７は、同じ配信管理装置２内でエンコーダブリッジ部３０に回線適応制御信号を出力するのに対して、上りの場合の回線適応制御部３７ｂは、配信管理装置２から通信ネットワーク９を介して、通信端末５に回線適応制御信号を送信する。
【０１４２】
次に、通信端末５のエンコード部６０が、受信した回線適応制御信号に基づいて、動作条件を変更する（ステップＳ１２７）。そして、エンコード部６０は、新たな動作条件によって、上記ステップＳ１２１のように、カメラ６２及びマイク６３から取得してエンコードした映像（音）データ〔Ｅ〕と、記憶部５０００から取得した現時点の通信端末５における時刻ｔ０を示す時刻情報（ｔ０）と、同じく記憶部５０００から取得した時間差Δを示す時間差情報（Δ）を、送受信部５１及び送受信部３１を介して、配信管理装置２のデコード部４０に送信する（ステップＳ１２８）。その後、上記ステップＳ１２２以降の処理が続けて行われる。このようにして、上り用の回線適応制御の処理が継続して行われる。
【０１４３】
＜マルチディスプレイの処理＞
続いて、図２５乃至図２７を用いて、マルチディスプレイの処理について説明する。図２５乃至図２７は、図５に示したマルチディスプレイの処理を示すシーケンス図である。ここでは、通信端末５ａで再生されている映像（音）〔ＸＹＺ〕を、通信端末５ｆ１，５ｆ２，５ｆ３にも分割して再生させる例である。また、ここでは、ウェブコンテンツを表示させるためのブラウザ２０を「ブラウザ２０ａ」と表記し、ユーザへの設定画面を表示させるためのブラウザ２０を「ブラウザ２０ｂ」と表記する。更に、ここでは、図２０のステップＳ３０に相当する処理から説明する。
【０１４４】
まず、図２５に示すように、配信管理装置２のブラウザ２０ａは、ウェブサーバ８から取得したウェブコンテンツデータ〔ＸＹＺ〕をレンダリングして画像（音）データを生成し、送信用ＦＩＦＯ２４に出力する（ステップＳ２０１）。そして、エンコーダブリッジ部３０の変換部１０が、送信用ＦＩＦＯ２４に格納された画像（音）データをエンコードすることで、通信端末５ａに配信すべき映像（音）データ〔ＸＹＺ〕に変換する（ステップＳ２０２）。
【０１４５】
次に、エンコーダブリッジ部３０は、送受信部３１及び送受信部５１を介して、通信端末５ａの再生制御部５３に、映像（音）データ〔ＸＹＺ〕を送信する（ステップＳ２０３）。これにより、通信端末５ａでは、再生制御部５３からデコード部５０に、映像（音）データ〔ＸＹＺ〕が出力され、レンダリング部５５を介して、表示部５８にて映像（音）が再生される（ステップＳ２０４）。
【０１４６】
次に、通信端末５ａのユーザによって、表示部５８上に表示されている画面が不図示のメニュー要求画面に切り替えられ、操作部５２が、メニュー要求画面中の不図示の「配信先選択メニュー」ボタンの押下を受け付ける（ステップＳ２０５）。これにより、送受信部５１が、端末管理装置７の送受信部７１ａに、配信先選択メニューへの切り替えを要求する（ステップＳ２０６）。この際、通信端末５ａの端末ＩＤも送信される。これに対して、送受信部７１ｂは、送受信部２１を介して配信管理装置２のブラウザ管理部２２に対し、ブラウザ２０ｂの起動要求を行う（ステップＳ２０７）。
【０１４７】
次に、ブラウザ管理部２２が設定用のブラウザ２０ｂを起動し（ステップＳ２０８）、エンコーダブリッジ部３０の作成・選択部３１０が、ブラウザ２０ａから変換部１０（例えば、変換部１０ａ）への出力を、ブラウザ２０ｂから変換部１０（例えば、変換部１０ｂ）への出力に切り替える（ステップＳ２０９）。但し、通信端末５ａが他の通信端末５（例えば、通信端末５ｂ）と変換部１０（例えば、変換部１０ａ）を共有して上記ステップＳ２０３による映像（音）データを受信していた場合には、他の通信端末５（例えば、通信端末５ｂ）はブラウザ２０ａ用に変換部１０（例えば、変換部１０ａ）を利用中であるため、エンコーダブリッジ部３０の作成・選択部３１０は、新たに変換部１０（例えば、変換部１０ｂ）を作成する。
【０１４８】
そして、ブラウザ２０ｂは、送受信部２１及び送受信部７１ｂを介して、端末管理装置７の記憶部７０００に、配信先選択メニューを要求する（ステップＳ２１０）。これに対して、端末管理装置７の記憶部７０００では、通信端末５ａから受信した端末ＩＤに基づいて、記憶部７０００に記憶されている利用可能端末管理テーブル７０２０を検索することにより、対応する共有ＩＤを抽出する（ステップＳ２１１）。この共有ＩＤは、通信端末５ａが遠隔共通処理をするために利用可能な通信端末５を示している。例えば、通信端末５ａの端末ＩＤが「ｔ００１」である場合、図１７に示した利用可能端末管理テーブル７０２０を検索することで、共有ＩＤ「ｖ００３」，「ｖ００６」が抽出される。
【０１４９】
更に、記憶部７０００は、抽出した共有ＩＤに基づいて端末管理テーブル７０１０を検索することにより、対応する表示名を示す表示名情報を抽出する（ステップＳ２１２）。ここでは、図１６に示されているように、抽出された共有ＩＤ「ｖ００３」，「ｖ００６」に対応する表示名は、それぞれ「東京本社１０Ｆ  ＭＦＰ」、「大阪展示場１Ｆ  マルチディスプレイ」である。
【０１５０】
そして、記憶部７０００は、送受信部７１ｂ及び送受信部２１を介して、配信管理装置２のブラウザ２０ｂにコンテンツデータとして配信先選択メニューデータ７０３０を送信する（ステップＳ２１３）。この配信先選択メニューデータ７０３０は、図１５に示した配信先選択メニュー画面を表示させるための情報であり、チェックボックス、共有ＩＤ、及び表示名が含まれている。
【０１５１】
次に、図２６に示すように、配信管理装置２のブラウザ２０ｂが、端末管理装置７から取得した配信先選択メニュー〔Ｍ〕を示すコンテンツデータをレンダリングして画像（音）データを生成し、送信用ＦＩＦＯ２４に出力する（ステップＳ２２１）。そして、エンコーダブリッジ部３０の変換部１０が、送信用ＦＩＦＯ２４に格納された画像（音）データ〔Ｍ〕をエンコードすることで、通信端末５ａに配信すべき映像（音）データ〔Ｍ〕に変換する（ステップＳ２２２）。
【０１５２】
次に、エンコーダブリッジ部３０は、送受信部３１及び送受信部５１を介して、通信端末５ａの再生制御部５３に映像（音）データ〔Ｍ〕を送信する（ステップＳ２２３）。これにより、通信端末５ａでは、再生制御部５３からデコード部５０に、映像（音）データ〔Ｍ〕が出力され、レンダリング部５５を介して、表示部５８にて、図１５に示したような配信先選択メニュー画面の映像（音）が再生される（ステップＳ２２４）。
【０１５３】
次に、ユーザによってマルチディスプレイに使用する通信端末５を指定する操作、例えば、図１５に示した配信先選択メニュー画面の共有ＩＤ「ｖ００６」のチェックボックスにチェックが入れられ、「ＯＫ」ボタンが押下されると（ステップＳ２２５）、操作部５２が、送受信部５１及び送受信部３１を介して、配信管理装置２のブラウザ管理部２２に、操作データとしてチェック結果を送信する（ステップＳ２２６）。
【０１５４】
次に、配信管理装置２のブラウザ２０ｂが、チェック結果から共有ＩＤを選択する（ステップＳ２２７）。そして、ブラウザ２０ｂは、送受信部２１及び送受信部７１ｂを介して、端末管理装置７の記憶部７０００に配信先追加要求を行う（ステップＳ２２８）。この配信先追加要求には、上記ステップＳ２２７によって選択された共有ＩＤが含まれている。これにより、ブラウザ２０ｂは、役目を終えて終了する（ステップＳ２２９）。その後、エンコーダブリッジ部３０の作成・選択部３１０は、ブラウザ２０ｂから変換部１０への出力を、ブラウザ２０ａから変換部１０への出力に戻すよう切り替える（ステップＳ２３０）。
【０１５５】
次に、図２７に示すように、端末管理装置７の記憶部７０００では、上記ステップＳ２２８によって送られて来た共有ＩＤに基づいて、端末管理テーブル７０１０を検索することにより、対応する端末ＩＤ及び設置位置情報を抽出する（ステップＳ２４１）。そして、記憶部７０００は、送受信部７１ｂ及び送受信部２１を介して、配信管理装置２のブラウザ管理部２２に、配信先の追加指示を行う(ステップＳ２４２)。この配信先の追加指示には、上記ステップＳ２４１によって抽出された端末ＩＤ及び設置位置情報が含まれている。ここでは、端末ＩＤ及び設置位置情報が「ｔ００６」、「左」と、端末ＩＤ及び設置位置情報が「ｔ００７」、「中」と、端末ＩＤ及び設置位置情報が「ｔ００８」、「右」との３組の端末ＩＤ及び設置位置情報が含まれているものとする。
【０１５６】
次に、エンコーダブリッジ部３０の作成・選択部３１０が、マルチディスプレイ用の変換部１０を作成する（ステップＳ２４３）。なお、この場合、エンコーダブリッジ部３０の作成・選択部３１０は、ブラウザ管理部２２から、端末ＩＤ及び設置位置情報を取得する。そして、上記ステップＳ２４３によって作成された変換部１０の分割部１３が、送信用ＦＩＦＯ２４に格納されている映像（音）データ〔ＸＹＺ〕を分割し、エンコード部１９が、分割された各データをエンコードする（ステップＳ２４４）。
【０１５７】
そして、エンコーダブリッジ部３０は、端末ＩＤ（「ｔ００６」）及び設置位置情報（「左」）に基づいて、送受信部３１及び通信端末５ｆ１の送受信部５１を介して、通信端末５ｆ１の再生制御部５３に映像（音）データ〔Ｘ〕を送信する（ステップＳ２４５＿１）。これにより、通信端末５ｆ１では、再生制御部５３からデコード部５０に、映像（音）データ〔Ｘ〕が出力され、スピーカ６１から音が再生されると共に、レンダリング部５５を介して表示部５８にて映像が再生される（ステップＳ２４６＿１）。
【０１５８】
また、同様にして、エンコーダブリッジ部３０は、端末ＩＤ（「ｔ００７」）及び設置位置情報（「中」）に基づいて、送受信部３１及び通信端末５ｆ２の送受信部５１を介して、通信端末５ｆ２の再生制御部５３に映像（音）データ〔Ｙ〕を送信する（ステップＳ２４５＿２）。これにより、通信端末５ｆ２は、再生制御部５３からデコード部５０に、映像（音）データ〔Ｙ〕が出力され、スピーカ６１から音が再生されると共に、レンダリング部５５を介して表示部５８にて映像が再生される（ステップＳ２４６＿２）。
【０１５９】
更に、同様にして、エンコーダブリッジ部３０は、端末ＩＤ（「ｔ００８」）及び設置位置情報（「右」）に基づいて、送受信部３１及び通信端末５ｆ３の送受信部５１を介して、通信端末５ｆ３の再生制御部５３に映像（音）データ〔Ｚ〕を送信する（ステップＳ２４５＿３）。これにより、通信端末５ｆ３は、再生制御部５３からデコード部５０に、映像（音）データ〔Ｚ〕が出力され、スピーカ６１から音が再生されると共に、レンダリング部５５を介して表示部５８にて映像が再生される（ステップＳ２４６＿３）。
【０１６０】
〔実施形態の主な効果〕
以上、具体的な例を挙げながら詳細に説明したように、本実施形態の配信システム１では、クラウド上の配信管理装置２がブラウザ２０及びエンコード等を行うエンコーダブリッジ部３０を有し、ブラウザ２０が所定の記述言語で示されたコンテンツデータから映像（音）データを生成し、エンコーダブリッジ部３０が通信ネットワーク９を介して配信することができるようにデータ形式を変換してから通信端末５に配信する。また、エンコーダブリッジ部３０によって変換された映像（音）データは、端末管理装置７の記憶部７０００に設けたユーザストレージ領域７０５０に格納することができる。映像（音）データをユーザストレージ領域７０５０に格納する場合は、これと同時に、配信管理装置２のインデックス生成部３２が、ブラウザ２０から取得される情報に基づいて、記憶部７０００に格納する映像（音）データに関するインデックス情報を生成する。このインデックス情報は、映像（音）データと同様にユーザストレージ領域７０５０に格納される。
【０１６１】
このように、本実施形態の配信システム１では、映像（音）データが配信される通信端末５ではなく、映像（音）データを配信するクラウド側（配信管理装置２及び端末管理装置７）で映像（音）データを保存（ユーザストレージ領域７０５０に格納）するようにしている。このため、保存する映像（音）データに関する様々な情報を容易に取得することができ、これらの情報を用いて、保存する映像（音）データに関するインデックス情報を簡便に生成することができる。
【０１６２】
また、本実施形態の配信システム１では、映像（音）データ及びインデックス情報の保存が終了すると、映像（音）データを識別するためのコンテンツＩＤとインデックス情報を識別するためのインデックスＩＤとを関連付けた管理情報を生成し、保存データ管理テーブル７０４０に登録するようにしている。したがって、この保存データ管理テーブル７０４０を用いて、ユーザストレージ領域７０５０に格納された映像（音）データとインデックス情報とを効率よく管理することができる。
【０１６３】
また、本実施形態の配信システム１では、映像（音）データの格納開始からの相対時刻を示すタイムスタンプと、その相対時刻にブラウザ２０が生成していた映像（音）データの属性情報とを含むインデックス情報を生成する。したがって、インデックス情報に含まれる属性情報をもとにその映像（音）データの内容を把握し、タイムスタンプに従って所望の映像（音）データの再生を開始させるなど、保存された映像（音）データの検索を容易に行うことができる。
【０１６４】
また、インデックス情報に含まれる属性情報として、ブラウザ２０が映像（音）データの生成に用いたコンテンツデータのＵＲＬを用いることにより、保存された映像（音）データを再生する際に、その映像（音）データの元になったコンテンツデータの最新版にアクセスできるという効果が得られる。
【０１６５】
〔変形例〕
本実施形態の配信システム１では、端末管理装置７と配信管理装置２とを互いに別個の装置として構成しているが、例えば、配信管理装置２に端末管理装置７の機能を持たせるなどにより、端末管理装置７と配信管理装置２とを一体の装置として構成するようにしてもよい。
【０１６６】
また、上記実施形態における配信管理装置２、及び端末管理装置７は、単一のコンピュータによって構築されてもよいし、各部（機能、手段、又は記憶部）を分割して任意に割り当てられた複数のコンピュータによって構築されていてもよい。
【０１６７】
更に、上記実施形態の各プログラムが記憶されたＣＤ−ＲＯＭ等の記録媒体、並びに、これらプログラムが記憶されたＨＤＤ２０４は、いずれもプログラム製品（Program  Product）として、国内又は国外へ提供されることができる。
【０１６８】
また、本実施形態の配信システム１では、映像（音）データを保存する際に、配信管理装置２から端末管理装置７に対して映像（音）データを随時送信して、端末管理装置７の記憶部７０００に設けたユーザストレージ領域７０５０に格納するようにしている。しかし、映像（音）データの保存終了を指示するユーザ操作があるまでは、映像（音）データを配信管理装置２の記憶部２０００に一時的に保持しておき、映像（音）データの保存終了を指示するユーザ操作があった後に、配信管理装置２の記憶部２０００に一時的に保持しておいた映像（音）データを端末管理装置７に転送して、端末管理装置７の記憶部７０００に設けたユーザストレージ領域７０５０に格納するようにしてもよい。
【０１６９】
また、本実施形態では、インデックス情報に含まれる映像（音）データの属性情報として、その映像（音）データの生成に用いたコンテンツデータのＵＲＬを用いる例を示したが、属性情報はこれに限らない。例えば、保存する映像データについてサムネイル画像を生成していずれかの記憶部に格納する構成の場合、そのサムネイル画像の格納場所を属性情報として用いてもよい。同様に、保存する音データについてサンプル音を生成していずれかの記憶部に格納する構成の場合、そのサンプル音の格納場所を属性情報として用いてもよい。インデックス情報に含まれる映像（音）データの属性情報として、サムネイル画像やサンプル音の格納場所を用いた場合は、保存した映像（音）データの再生時に、属性情報で示される格納場所からサムネイル画像やサンプル音を取得し、映像（音）データの頭出しをするための「しおり」として活用することができる。
【符号の説明】
【０１７０】
１  配信システム
２  配信管理装置
５  通信端末
７  端末管理装置
８  ウェブサーバ
９  通信ネットワーク
２０  ブラウザ
２１  送受信部
３０  エンコーダブリッジ部
３１  送受信部
３２  インデックス生成部
７１ｂ  送受信部
７６  データ格納部
７７  インデックス格納部
７８  管理情報生成部
７９  管理情報格納部
７０００  記憶部
７０５０  ユーザストレージ領域
【先行技術文献】
【特許文献】
【０１７１】
【特許文献１】特許第３２６６９５９号公報
【図１】
2015069243.tif 000003
【図２】
2015069243.tif 000004
【図３】
2015069243.tif 000005
【図４】
2015069243.tif 000006
【図５】
2015069243.tif 000007
【図６】
2015069243.tif 000008
【図７】
2015069243.tif 000009
【図８】
2015069243.tif 000010
【図９】
2015069243.tif 000011
【図１０】
2015069243.tif 000012
【図１１】
2015069243.tif 000013
【図１２】
2015069243.tif 000014
【図１３】
2015069243.tif 000015
【図１４】
2015069243.tif 000016
【図１５】
2015069243.tif 000017
【図１６】
2015069243.tif 000018
【図１７】
2015069243.tif 000019
【図１８】
2015069243.tif 000020
【図１９】
2015069243.tif 000021
【図２０】
2015069243.tif 000022
【図２１】
2015069243.tif 000023
【図２２】
2015069243.tif 000024
【図２３】
2015069243.tif 000025
【図２４】
2015069243.tif 000026
【図２５】
2015069243.tif 000027
【図２６】
2015069243.tif 000028
【図２７】
2015069243.tif 000029